(57)【要約】【課題】排水管から排水と共に廃棄される廃棄物、特にトイレットペーパー等の廃棄物を段階的に小片化して濾過することにより、濾過装置の目詰まりによる除去作業を軽減し、さらには装置の故障を低減することができる循環式水洗トイレの廃棄物濾過装置を提供する。【解決手段】循環式水洗トイレの排水管より排水と共に廃棄される廃棄物を、段階的に小片化して濾過する循環式水洗トイレの廃棄物濾過装置において、排水槽３内に、前記排水管２より廃棄される前記廃棄物を小片化する第一処理部１０と、該第一処理部１０において小片化された前記廃棄物を水中で回転させてさらに小片化する第二処理部２０と、該第二処理部２０において小片化された廃棄物を、段差の異なる複数の濾過部３１、３４内に段階的に滞留させ、前記排水のみを廃棄する第三処理部３０と、を備える。【選択図】図１
2008093517.tif 000002
【特許請求の範囲】
【請求項１】
循環式水洗トイレの排水管より排水と共に廃棄される廃棄物を、段階的に小片化して濾過する循環式水洗トイレの廃棄物濾過装置において、
排水槽内に、前記排水管より廃棄される前記廃棄物を小片化する第一処理部と、
該第一処理部において小片化された前記廃棄物を水中で回転させてさらに小片化する第二処理部と、
該第二処理部において小片化された廃棄物を、段差の異なる複数の濾過部内に段階的に滞留させ、前記排水のみを廃棄する第三処理部と、
を備えることを特徴とする循環式水洗トイレの廃棄物濾過装置。
【請求項２】
前記第一処理部が、前記排水槽内に垂直方向に設置される網体を備える請求項１記載の循環式水洗トイレの廃棄物濾過装置。
【請求項３】
前記第二処理部が、ブロアから送り込まれたエアーにより前記廃棄物を上方へ浮上させる給気管と、上方へ浮上した前記廃棄物を水中で旋回させる攪拌部と、旋回した前記廃棄物を下方に移行させる湾曲板と、下方に移行した前記廃棄物をさらに小片化させる裁断板とを備える請求項１または２記載の循環式水洗トイレの廃棄物濾過装置。
【請求項４】
前記第三処理部が、前記排水を前記排水槽内の下方から通水させて水面下に前記廃棄物を滞留させる第一濾過部と、前記廃棄物の滞留により第一濾過部が濾過不能になった際、前記排水を前記排水槽内の下方から通水させて水面下に前記廃棄物を滞留させる第二濾過部とを備える請求項１乃至３記載のうちいずれか一項記載の循環式水洗トイレの廃棄物濾過装置。
【請求項５】
前記第三処理部に、該第三処理部において濾過された前記排水の上水を廃棄するゲート部を設置した請求項１乃至４記載のうちいずれか一項記載の循環式水洗トイレの廃棄物濾過装置。
【請求項６】
前記第三処理部に、前記第一濾過部の水面下に滞留した前記廃棄物を除去する投水管を設置した請求項１乃至５記載のうちいずれか一項記載の循環式水洗トイレの廃棄物濾過装置。
【発明の詳細な説明】
【技術分野】
【０００１】
本発明は、循環式水洗トイレの廃棄物濾過装置に関し、詳しくは、循環式水洗トイレの排水管から排水と共に廃棄される廃棄物を、段階的に小片化して濾過する循環式水洗トイレの廃棄物濾過装置に関する。
【背景技術】
【０００２】
一般的な循環式水洗トイレは、従来、排水管から排水と共に廃棄される廃棄物を濾過槽で分解濾過し、バクテリアを使用して汚水を水と炭酸ガスに分解して消臭することが行なわれていた。このような循環式水洗トイレは、下水設備のないところでも簡単に設置することができるため、公園やキャンプ場、またイベント会場や工事現場等に幅広く設置して使用されている。
【０００３】
また、特許文献１として、循環式固形物処理装置内の第１処理槽に平板からなる粉砕機を設けることによる装置全体の小型化を容易にすることができる循環式固形物処理装置が提案されている。
【特許文献１】特開２００２−１８３０７号公報（第１−２頁、図１）
【発明の開示】
【発明が解決しようとする課題】
【０００４】
一般的な循環式水洗トイレや上掲特許文献１の循環式固形物処理装置においては、排水管から排水と共に廃棄される廃棄物、特にトイレットペーパー等の廃棄物を小片化する処理が不完全であり、そのため濾過装置の目詰まりが発生し易くなり、廃棄物を頻繁に除去しなければならないことが問題となっていた。また、廃棄物の除去作業を怠ると装置が故障することが屡あった。
【０００５】
そこで、本発明の目的は、上記の点に鑑み、排水管から排水と共に廃棄される廃棄物、特にトイレットペーパー等の廃棄物を段階的に小片化して濾過することにより、濾過装置の目詰まりによる除去作業を軽減し、さらには装置の故障を低減することができる循環式水洗トイレの廃棄物濾過装置を提供することにある。
【課題を解決するための手段】
【０００６】
本発明者は、上記課題につき鋭意検討した結果、所定の構成からなり複数の処理部を有する廃棄物濾過装置をすることにより、上記目的を達成し得ることを見出し、本発明を完成するに至った。
【０００７】
即ち、本発明の循環式水洗トイレの廃棄物濾過装置は、循環式水洗トイレの排水管より排水と共に廃棄される廃棄物を、段階的に小片化して濾過する循環式水洗トイレの廃棄物濾過装置において、
排水槽内に、前記排水管より廃棄される前記廃棄物を小片化する第一処理部と、
該第一処理部において小片化された前記廃棄物を水中で回転させてさらに小片化する第二処理部と、
該第二処理部において小片化された廃棄物を、段差の異なる複数の濾過部内に段階的に滞留させ、前記排水のみを廃棄する第三処理部と、
を備えることを特徴とするものである。
【０００８】
本発明の循環式水洗トイレの廃棄物濾過装置の好適実施形態においては、前記第一処理部が、前記排水槽内に垂直方向に設置される網体を備えるものである。また、前記第二処理部が、ブロアから送り込まれたエアーにより前記廃棄物を上方へ浮上させる給気管と、上方へ浮上した前記廃棄物を水中で旋回させる攪拌部と、旋回した前記廃棄物を下方に移行させる湾曲板と、下方に移行した前記廃棄物をさらに小片化させる裁断板とを備える。さらに、前記第三処理部が、前記排水を前記排水槽内の下方から通水させて水面下に前記廃棄物を滞留させる第一濾過部と、前記廃棄物の滞留により第一濾過部が濾過不能になった際、前記排水を前記排水槽内の下方から通水させて水面下に前記廃棄物を滞留させる第二濾過部とを備える。さらにまた、前記第三処理部に、該第三処理部において濾過された前記排水の上水を廃棄するゲート部または前記第一濾過部の水面下に滞留した前記廃棄物を除去する投水管を設置してもよい。
【発明の効果】
【０００９】
本発明の循環式水洗トイレの廃棄物濾過装置によれば、排水管から排水と共に廃棄される廃棄物、特にトイレットペーパー等の廃棄物を段階的に小片化させて効率良く濾過することができ、目詰まりや除去作業を軽減すると共に、濾過装置の目詰まりによる故障を低減することができる。
【発明を実施するための最良の形態】
【００１０】
以下、本発明の循環式水洗トイレの廃棄物濾過装置における実施の形態を図面に基づいて説明する。
【００１１】
図１に示す本発明の一実施形態に係る廃棄物濾過装置１は、循環式水洗トイレの排水管２より廃棄される廃棄物Ａを破砕して小片化する第一処理部１０と、第一処理部１０において小片化された廃棄物Ｂを水中で回転させてさらに小片化する第二処理部２０と、第二処理部２０にて小片化された廃棄物Ｃを、段差の異なる濾過部３１、３４にて段階的に滞留させて、排水のみを廃棄する第三処理部３０とからなる。これら第一処理部１０、第二処理部２０、第三処理部３０は一の排水槽３内に配設されている。
【００１２】
第一処理部１０は、循環式水洗トイレの排水管２から排水と共に廃棄される廃棄物、特にトイレットペーパーやティッシュペーパー等の原型を保っている大形の廃棄物Ａを破砕し小片化するもので、排水槽３内に垂直状態に配設されてなる網体１１を備える。この大形の廃棄物Ａは、排水管２より排出された排水とともに網体１１を通過する際、二等分や三等分等の小片状に破砕される。
【００１３】
第二処理部２０は、第一処理部１０において小片化された廃棄物Ｂを、水中で回転させてさらに小片化するものである。図１および図２に示す第二処理部２０は、ブロア２１から送り込まれたエアーにより廃棄物Ｂを上方へ浮上させる給気管２２と、上方へ浮上した廃棄物Ｂを水中で旋回させる攪拌部２３と、旋回した廃棄物Ｂを下方に移行させる湾曲板２８と、下方に移行した廃棄物Ｂをさらに小片化させる裁断部２６とからなる。
【００１４】
給気管２２は、パイプをＬ字状に湾曲させた形状からなり、下部側面に複数の細孔を有する。ブロア２１から送り込まれたエアーは、この細孔より排水槽３内に排気される。
【００１５】
攪拌部２３は、長辺部２５を湾曲状に形成した略三角形状の複数の攪拌板２４を、水平状態に配列して形成されている。このような形状の攪拌板２４を用いることにより、エアーにより浮上した廃棄物Ｂを、矢印に示すように水中で旋回させることができる。また、排水管２より投入される排水の水勢によっても廃棄物Ｂは旋回し易くなる。なお、攪拌板２４の枚数は特に制限されるものではなく、設計に応じて適宜選定される。
【００１６】
湾曲板２８は、矢印に示す如く、旋回した廃棄物Ｂを下方に移行させることができるように湾曲状に形成されている。湾曲板２８は、ステンレス等の金属からなるものが好ましい。
【００１７】
裁断部２６は、ステンレス等の金属からなる薄板の金属をく字状に成形した複数の裁断板２７を水平状態に配列して形成されている。また裁断板２７の上部は、攪拌板２４間に夫々挟持されている。攪拌部２３および湾曲板２８により水中で旋回された廃棄物Ｂは、排水管２より投入される排水の水勢により裁断板２７間を通過し、さらに小片状に裁断されて廃棄物Ｃとなる。なお、裁断板２７は１０ｍｍ程度の間隔にて配列することが好ましい。また、裁断板２７の枚数は特に制限されるものではなく、設計に応じて適宜選定される。
【００１８】
第三処理部３０は、第二処理部２０からの排水を排水槽３内の下方から通水させて水面下３３に廃棄物Ｃを滞留させる第一濾過部３１と、この廃棄物Ｃの滞留により第一濾過部３１が濾過不能になった際、第二処理部２０からの排水を排水槽３内の下方から通水させて水面下３６に廃棄物Ｃを滞留させる第二濾過部３４とを備える。
【００１９】
第一濾過部３１は細目状のメッシュ材３２を有し、図示すように、排水槽３内の水面付近に配設されている。メッシュ材３２の一端には後述詳細のゲート部４０が、他端には仕切板３７が設置されている。第二処理部２０において小片化された廃棄物Ｃは、メッシュ材３２の水面下３３に滞留し、排水は第一濾過部３１を通過しゲート部４０から廃棄槽４に廃棄される。
【００２０】
第二濾過部３４は細目状のメッシュ材３５を有し、排水槽３内の水面よりやや上方に配設されている。メッシュ材３５の両端には仕切板３７、３８が夫々設置されている。第二濾過部３４は、図示するように第一濾過部３１より上方に設置されているため、廃棄物Ｃの滞留により第一濾過部３１が濾過不能になった際、水位が上昇する。上昇してメッシュ材３５より溢れ出た排水は、徐々にゲート部４０へ流れ出し、ゲート部４０から廃棄槽４に廃棄される。廃棄物Ｃはメッシュ材３５の水面下３６に滞留する。
【００２１】
図中、濾過部は２箇所であるがこれに限定されるものではなく、適宜選定することができる。
【００２２】
ゲート部４０は、第三処理部３０において濾過された排水の上水のみを廃棄槽４に送水するもので、山切状態の複数の突片４１にて形成されており、第一濾過部３１の他端に連結されている。突片４１を山切状態に形成することで、第三処理部３０において濾過されないまま通過した廃棄物Ｃを溝部分で保持することができる。
【００２３】
本発明の循環式水洗トイレの廃棄物濾過装置の好適一実施の形態として、第三処理部３０の、第一濾過部３１の上方に、投水管５を設置することができる。この投水管５は、第一濾過部３１のメッシュ材３２の水面下３３に溜まった廃棄物Ｃを水力にて除去するものである。かかる投水管５を設置することにより、第一濾過部３１が廃棄物Ｃで濾過不能になった際、水力にて廃棄物Ｃを除去し、繰り返し第一濾過部３１にて濾過作業を行うことができる。
【００２４】
第三処理部３０における濾過方法を図４の（ａ）（ｂ）（ｃ）に基づいて説明する。
（ａ）に示すように、排水ａは排水槽３内の下方より第一濾過部３１のメッシュ材３２を通過し、ゲート部４０より廃棄される。この際、第二処理部２０にて小片化された廃棄物Ｃはメッシュ材３２の水面下３３に滞留した状態となる。
【００２５】
次に、（ｂ）に示すように、メッシュ材３２の水面下３３に廃棄物Ｃが滞留したため、排水ａの濾過ができなくなると、排水槽３内の水面が上昇し、排水ａは第二濾過部３４のメッシュ材３５を通過し、第一濾過部３１のメッシュ材３２上面に沿ってゲート部４０より廃棄されると共に、廃棄物Ｃはメッシュ材３５の水面下３６に保持される。なおこの際、第二濾過部３４にて濾過された排水ａにて、メッシュ材３３の水面下３２の廃棄物Ｃを多少除去することもでき、廃棄物Ｃの除去作業を軽減できる。
【００２６】
また、（ｃ）に示すように、投水管５から水を投入して、その水力で第一濾過部３１のメッシュ材３２の水面下３３に滞留された廃棄物Ｃを除去する。メッシュ材３２の廃棄物Ｃを除去すると排水槽３内の水位が下降し、第一濾過部３１からの濾過作業を再開することができる。
【図面の簡単な説明】
【００２７】
【図１】本発明の循環式水洗トイレの廃棄物濾過装置の全体断面図である。
【図２】前記廃棄物濾過装置の第二処理部の分解斜視図である。
【図３】前記廃棄物濾過装置の第三処理部の斜視図である。
【図４】前記第三処理部における濾過方法の説明図である。
【符号の説明】
【００２８】
１    廃棄物濾過装置
２    排水管
３    排水槽
４    廃棄槽
５    投水管
１０  第一処理部
１１  網体
２０  第二処理部
２１  ブロア
２２  給気管
２３  攪拌部
２４  攪拌材
２５  長辺部
２６  裁断部
２７  裁断板
２８  湾曲板
３０  第三処理部
３１  第一濾過部
３２  メッシュ材
３３  水面下
３４  第二濾過部
３５  メッシュ部
３６  水面下
３７  仕切板
３８  仕切板
４０  ゲート部
４１  突片
Ａ    廃棄物
Ｂ    廃棄物
Ｃ    廃棄物
ａ    排水
【図１】
2008093517.tif 000003
【図２】
2008093517.tif 000004
【図３】
2008093517.tif 000005
【図４】
2008093517.tif 000006